(57)【要約】【課題】  ＢＩＢの導出チューブからの後だれを効果的に防止することができる飲料ディスペンサを提供する。【解決手段】  飲料原料を貯溜したＢＩＢ３より引き出された可撓性のチューブ４を介して飲料原料を導出する飲料ディスペンサ１において、チューブ４内の流路を開閉してＢＩＢ３からの飲料原料の導出を制御するピンチ部材１９を備え、当該ピンチ部材１９は、チューブ４を外側から挟んで押し潰し、チューブ４内の流路を開閉自在に閉じる開閉部（ピンチ部５０、４３）と、開閉部よりチューブ４の先端側において、開閉部による流路の閉鎖に連動してチューブ４を外側から押圧し、流路を狭める押圧部５１、４４とを備える。【選択図】図６
2007062814.tif 000002
【特許請求の範囲】
【請求項１】
飲料原料を貯溜した飲料供給源より引き出された可撓性のチューブを介して前記飲料原料を導出する飲料ディスペンサにおいて、
前記チューブ内の流路を開閉して前記飲料供給源からの前記飲料原料の導出を制御するピンチ部材を備え、
該ピンチ部材は、前記チューブを外側から押し潰し、当該チューブ内の流路を開閉自在に閉じる開閉部と、該開閉部より前記チューブの先端側において、当該開閉部による流路の閉鎖に連動して前記チューブを外側から押圧し、流路を狭める押圧部とを備えることを特徴とする飲料ディスペンサ。
【請求項２】
前記飲料供給源はＢＩＢ（Ｂａｇ  ｉｎ  Ｂｏｘ）から構成され、前記チューブは前記ＢＩＢ内の飲料袋に一体に取り付けられていることを特徴とする請求項１の飲料ディスペンサ。
【発明の詳細な説明】
【技術分野】
【０００１】
本発明は、飲料原料を貯溜した飲料供給源より引き出された可撓性のチューブを介して飲料原料の導出を行う飲料ディスペンサに関するものである。
【背景技術】
【０００２】
従来よりＢＩＢ（Ｂａｇ  Ｉｎ  Ｂｏｘ）用飲料ディスペンサは、ＢＩＢから引き出された導出チューブをチューブポンプ（ペリスタルティックポンプ）にて扱くことにより、ＢＩＢから飲料原料を押し出し、希釈冷却水又は冷却炭酸水と機械的に混合して供給する方式がとられている（例えば、特許文献１参照）。
【０００３】
一般に、導出チューブは、ＢＩＢ内に装填された飲料袋に一体に取り付けられており、流通状態では、当該チューブの端部は、封鎖されている。そのため、ＢＩＢを飲料ディスペンサに装着する場合には、先ず、ＢＩＢ本体を所定のＢＩＢ収容室内に設置した後、導出されたチューブをチューブポンプに装着し、当該チューブポンプの下流側において、ピンチソレノイドなどから構成されるピンチ部材を介在させ、更にその下流側にまでチューブを引き出し、当該端部を切断していた。
【０００４】
そして、チューブの封鎖部の切断後は、ピンチ部材にてチューブを外側から挟んで押し潰すことで、チューブ内の流路を開閉自在に閉鎖している。ここで、ピンチ部材１００について図９乃至１３を参照して説明する。図９は、ピンチ部材１００の斜視図、図１０は、受け部１０１を開放した状態のピンチ部材１００の斜視図、図１１は図１０における縦断側面図、図１２は販売待機時におけるピンチ部材１００の縦断側面図、図１３は販売時におけるピンチ部材１００の縦断側面図を示している。
【０００５】
ピンチ部材１００は、後部にソレノイド１０２を備えた本体により構成されており、この本体の前部には、前面に開放されたチューブ収容室１０３が形成されている。このチューブ収容室１０３の前面開口は、裏面にピンチ部１１０が形成された受け部１０１にて開閉自在に閉塞される。また、チューブ収容室１０３の上面には、導出チューブ１０７を導入するためのチューブ導入口１０５が形成されていると共に、チューブ収容室１０３の下面には、導出チューブ１０７を導出するためのチューブ導出口１０６が形成されている。
【０００６】
そして、ソレノイド１０２の内方には、該ソレノイド１０２への通電／非通電により、作動するプランジャ１１１が装填されており、該プランジャ１１１のチューブ収容室１０３側端部には、作動部１１２が設けられている。この作動部１１２の前面には、受け部１０１に形成されたピンチ部１１０に対応する位置に、ピンチ部１１３が形成されている。
【０００７】
そのため、ソレノイド１０２の非通電時は、プランジャ１１１は、当該後端に設けられる図示しないバネ部材などにより、チューブ収納室１０３側へ押しつけられ、作動部１１２のピンチ部１１３と受け部１０１のピンチ部１１０との挟持作用により、チューブ収容室１０３内に導入された導出チューブ１０７は、外側から押圧され、導出チューブ１０７内の流路が閉鎖されることとなる（図１２）。
【０００８】
他方、ソレノイド１０２の通電時は、プランジャ１１１がソレノイド１０２側へ移動することで、作動部１１２のピンチ部材１１３と受け部１０１のピンチ部１１０との挟持作用が開放される。これにより、チューブ収容室１０３内に導入された導出チューブ１０７は、外側からの押圧が開放されることで、導出チューブ１０７内の流路が開放され、飲料原料の排出が可能となる。これにより、ソレノイド１０２の通電制御により、導出チューブ１０７内の流路の開閉制御が行われることとなる。
【特許文献１】特開平６−２１１２９９号公報
【発明の開示】
【発明が解決しようとする課題】
【０００９】
しかしながら、従来のピンチ部材１００の構成では、各ピンチ部１１０と１１３とにより挟持される位置と、導出チューブ１０７の端部との間に、所定の距離が形成される。この距離は、上述したように、導出チューブ１０７をチューブポンプを介してピンチ部材１００にまで引き出すのに必要とされるものであり、特に、ＢＩＢの装着時には、導出チューブ１０７の端部を閉塞している封鎖部分を切り落とす作業を行わなければならない。そのため、ある一定以上の距離が必要とされるため、ピンチ部１１０と１１３との挟持位置にて切り落とすことが不可能とされる。
【００１０】
そのため、当該ピンチ部材１００による挟持箇所から導出チューブ１０７端部までの距離におけるチューブ１０７内には、表面張力などにより飲料原料が残留する。この残留する飲料原料は、ピンチ部材１００による挟持後すぐに排出されずに残留し、不特定のタイミングにて飲料原料の自重などにより、滴下してしまう場合がある。そのため、当該導出チューブ１０７の端部下方において、飲料の販売作業を行っている作業者の手指に滴下されたり、目的としないカップ内に混入してしまう不都合が生じていた。
【００１１】
そこで、本発明は従来の技術的課題を解決するために成されたものであり、導出チューブ１０７からの後だれを効果的に防止することができる飲料ディスペンサを提供することを目的とする。
【課題を解決するための手段】
【００１２】
本発明の飲料ディスペンサは、飲料原料を貯溜した飲料供給源より引き出された可撓性のチューブを介して飲料原料を導出するものであって、チューブ内の流路を開閉して飲料供給源からの飲料原料の導出を制御するピンチ部材を備え、該ピンチ部材は、チューブを外側から押し潰し、当該チューブ内の流路を開閉自在に閉じる開閉部と、該開閉部よりチューブの先端側において、当該開閉部による流路の閉鎖に連動してチューブを外側から押圧し、流路を狭める押圧部とを備えることを特徴とする。
【００１３】
請求項２の発明の飲料ディスペンサは、上記発明において、飲料供給源はＢＩＢ（Ｂａｇ  ｉｎ  Ｂｏｘ）から構成され、チューブはＢＩＢ内の飲料袋に一体に取り付けられていることを特徴とする。
【発明の効果】
【００１４】
本発明によれば、飲料原料を貯溜した飲料供給源より引き出された可撓性のチューブを介して飲料原料を導出する飲料ディスペンサにおいて、チューブ内の流路を開閉して飲料供給源からの飲料原料の導出を制御するピンチ部材を備え、該ピンチ部材は、チューブを外側から押し潰し、当該チューブ内の流路を開閉自在に閉じる開閉部と、該開閉部よりチューブの先端側において、当該開閉部による流路の閉鎖に連動してチューブを外側から押圧し、流路を狭める押圧部とを備えるので、開閉部にて流路を閉じたとき、挟持開閉箇所とその先端側で押圧部により流路が狭められた箇所との間に残留した飲料原料が、端部開口を狭めることで、表面張力により、より確実に保持することが可能となり、当該飲料原料の後だれを防止することが可能となる。
【００１５】
これにより、意図していないときに、即ち、飲料供給源からの飲料原料の導出時以外に、当該チューブの先端から飲料原料が後だれし、カップのセットや除去を行う手指に、該飲料原料が滴下する不都合や、特に他の種類の飲料供給時にカップ内に混入する不都合を抑制することができるようになる。
【００１６】
請求項２の発明によれば、上記発明において、飲料供給源はＢＩＢ（Ｂａｇ  ｉｎ  Ｂｏｘ）から構成され、チューブはＢＩＢ内の飲料袋に一体に取り付けられているので、該チューブをピンチ部材にセットした状態で、チューブ先端を切断する場合に、ピンチ部材より先端側にある程度の距離のチューブが残存してしまうが、本発明では、押圧部により、チューブ内の流路を狭めることで、該ピンチ部材より先端側に飲料原料が残留して後だれする不都合を防止することができる。そのため、特に、請求項２の発明のようなチューブがＢＩＢ内の飲料袋に一体に取り付けられている場合に有効となる。
【発明を実施するための最良の形態】
【００１７】
以下、図面に基づき本発明の実施形態を詳述する。
【実施例１】
【００１８】
図１は本発明を適用した飲料ディスペンサ１の正面図、図２は図１の飲料ディスペンサ１の側面図、図３は図１の飲料ディスペンサ１の扉２８を取り除いた状態の正面図、図４は図１の飲料ディスペンサ１の内部構成を示す側面図である。
【００１９】
本実施例の飲料ディスペンサ１は、レストランや喫茶店などで使用されるＢＩＢ用飲料ディスペンサであり、ウーロン茶、オレンジジュース等の中性飲料を供給するＢＩＢユニット３２、３２と、強弱無炭酸系の目的飲料を供給するタンクユニット３１を本体２内に合わせ持つ装置である。係る飲料ディスペンサ１の構造は、図３に示す如くタンクユニット３１が中央に、その両側にＢＩＢユニット３２、３２が配置されている。そして、これらタンクユニット３１とＢＩＢユニット３２、３２は前面に位置する開閉自在の扉２８にて隠蔽されている。
【００２０】
タンクユニット３１は、図３、図４に示す如く飲料原料を供給する飲料原料流路に電磁弁８とフローレギュレータ１７を配設して構成している。更に、タンクユニット３１には、飲料原料と他のチューブより供給される希釈水を混合して目的飲料にするミキサの目的飲料を吐出するノズル１２が設けられている。このノズル１２は、複数の飲料原料タンクより供給される種類の異なった飲料原料によって種類の異なった目的飲料を利用者の選択に応じて吐出する複合ノズルである。
【００２１】
次に、ＢＩＢユニット３２を図３、図４に基づき説明する。ＢＩＢ３は、飲料原料を収納した図示しない飲料袋と、該飲料袋が収納されたボックスとからなり、導出チューブ４が飲料袋と一体に成型されてボックスから引き出されている。導出チューブ４は、可撓性を有する不透明なチューブにて構成されており、端部は封鎖された状態で市場に流通されている。
【００２２】
ＢＩＢ３から導出されている導出チューブ４は、売切検知用のセンサ１３を介してポンプ（ペリスタルティックポンプ）５のロータ５Ａとアーム５Ｂに挟持されており、ポンプ５の下方に設けられたピンチ部材１９を介して、飲料原料は導出チューブ４の端部４Ａから排出されるように構成されている。
【００２３】
ポンプ５は、例えば、特開平６−２１１２９９号公報に示されているものが使用されており、ロータ５Ａに取り付けられた複数のローラによって導出チューブ４を順次扱きながら飲料原料を押し出すものである。
【００２４】
尚、ピンチ部材１９の詳細な構成については後述する。また、本実施例において当該ピンチ部材１９は、図３に示すように内部に取り付けられた導出チューブ４の下端４Ａがそれぞれ上述した如きタンクユニット３１のノズル１２に指向されるように取り付けられている。そのため、当該ノズル１２から吐出される飲料原料、例えば、希釈冷却水と、導出チューブ４から吐出される飲料原料とが混合しながらノズル１２下方、即ち、中央にセットされるカップ内に目的飲料が吐出される。
【００２５】
そして、このＢＩＢユニット３２の導出チューブの端部４Ａ、４Ａ及びタンクユニット３１のノズル１２の下方には、テーブル１４が設けられ、テーブル１４上にガイド１５によってガイドされるカップを配置することができる。また、扉２８の前面にはタンクユニット３１と、ＢＩＢユニット３２、３２からの飲料供給を操作する操作部２７が設けられており、当該操作部２７の操作に基づき、目的飲料の吐出を行うことができる。尚、図４の３３は、希釈水などを冷却するための冷却装置を構成するコンプレッサ、３４はコンデンサ、３６は希釈水ポンプモータである。また、３７は水槽であり、３８は希釈水と、炭酸ガスとから炭酸水を生成するカーボネータである。
【００２６】
次に、上述したピンチ部材１９の構成について図５乃至図７を参照して説明する。図５は導出チューブ４取付時のピンチ部材１９の縦断側面図、図６は販売待機時のピンチ部材１９の縦断側面図、図７は販売時のピンチ部材１９の縦断側面図を示している。
【００２７】
ピンチ部材１９は、後部にソレノイド４０を備えた本体により構成されており、この本体の前部には、前面に開放されたチューブ収容室４１が形成されている。このチューブ収容室４１の前面開口は、受け部４２にて開閉自在に閉塞される。尚、この受け部４２の裏面には、図５に示されるように、第２のピンチ部４３と、第２の押圧部４４とが一体に階段状にチューブ収容室４１側に突出して形成されている。尚、この場合において、第２のピンチ部４３は、第２の押圧部４４に対し、図６及び図７から明らかなように、導出チューブ４の上流側に位置すると共に、よりチューブ収納室４１側に突出して構成されている。
【００２８】
また、チューブ収容室４１の上面には、導出チューブ４を導入するためのチューブ導入４６が形成されていると共に、チューブ収容室４１の下面には、導出チューブ４を下側に導出するためのチューブ導出口４７が形成されている。
【００２９】
そして、ソレノイド４０の内方には、該ソレノイド４０への通電／非通電により、作動するプランジャ４８が装填されている。プランジャ４８のチューブ収容室４１側の端部には、作動部４９が設けられている。この作動部４９の前面には、図５に示されるように、第１のピンチ部５０と、第１の押圧部５１とが一体に階段状にチューブ収容室４１側に突出して形成されている。尚、この場合において、第１のピンチ部５０は、第１の押圧部５１に対し、図６及び図７から明らかなように、導出チューブ４の上流側に位置すると共に、よりチューブ収納室４１側に突出して構成されている。
【００３０】
この第１のピンチ部５０は、受け部４２に形成される第２のピンチ部４３に対応して構成され、これら第１のピンチ部５０と第２のピンチ部４３にて導出チューブ４を外方から押圧し、チューブ４内の流路の開閉を行う開閉部を構成している。他方、第１の押圧部５１は、受け部４２に形成される第２の押圧部４４に対応して構成され、開閉部よりチューブ４の先端側において、これら第１の押圧部５１と第２の押圧部４４にて導出チューブ４を外方から押圧し、チューブ４内の流路を狭める押圧部を構成している。
【００３１】
尚、本実施例において当該押圧部は、導出チューブ４の先端付近にまで渡って形成されているものとする。また、当該押圧部を構成する第１の押圧部５１は、開閉部を構成する第１のピンチ部５０と一体に構成されていると共に、第２の押圧部４４は、同じく開閉部を構成する第２のピンチ部４３と一体に構成されているため、開閉部によるチューブ４内の流路の閉鎖に連動して、当該チューブ４を外側から押圧することが可能となる。
【００３２】
他方、プランジャ４８の後端には、図示しないバネ部材が収容されているものとする。また、当該ピンチ部材１９は、制御装置２１により操作部２７の操作に基づき、通電制御が行われる。尚、当該制御装置２１は、ピンチ部材１９以外にも、ポンプ５やノズル１２から吐出される希釈水の吐出制御を行う希釈水電磁弁なども接続されているものとする。
【００３３】
以上の構成にて、本実施例の飲料ディスペンサ１のＢＩＢ関連の動作を説明する。上述した如くＢＩＢ３から引き出される導出チューブ４は、ＢＩＢ３内に装填された飲料袋に一体に取り付けられており、流通状態では、当該チューブの端部は、封鎖されている。そのため、ＢＩＢ３を飲料ディスペンサ１に装着する場合には、先ず、ＢＩＢ３本体を所定のＢＩＢユニット３２のＢＩＢ収容室内に設置した後、導出されたチューブ４をチューブポンプ５に装着し、当該チューブポンプ５の下流側において、ピンチ部材１９を介在させ、更にその下側にまでチューブを引き出す。
【００３４】
ここで、ピンチ部材１９は、導出チューブ４の装着時において、先ず、受け部４２を開放し、図５に示すように導出チューブ４をチューブ導入口４６、チューブ収容室４１及びチューブ導出口４７にわたって収容する。このとき、ソレノイド１９は、非通電状態であり、プランジャ４８は、図示しないバネ部材によりチューブ収納室４１側に押しつけられた状態で維持される。そのため、該プランジャ４８の前端に設けられる作動部４９の第１のピンチ部５０及び第１の押圧部５１は、チューブ収納室４１側に突出した状態とされ、チューブ収容室４１内の導出チューブ４の作動部４９側は、該作動部４９により押圧され、その分だけ内部の流路が狭められている。
【００３５】
その後、受け部４２を閉鎖することで、図６に示すようにチューブ収容室４１内の導出チューブ４は、上記に加えて、受け部４２の裏面に形成された第２のピンチ部４３及び第２の押圧部４４により、チューブ収容室４１内の導出チューブ４の受け部４２側も、該受け部４２により押圧され、その分だけ内部の流路が狭められている。ここで、作動部４９の第１のピンチ部５０と、受け部４２の第２のピンチ部４３は、対応して構成されていることから、これらピンチ部５０及び４３により構成される開閉部による外側からの押圧によって、導出チューブ４内の流路は、閉じられる。
【００３６】
そこで、ＢＩＢ３装着作業者は、係る状態において、封鎖されていた導出チューブ４の端部を切断し、飲料原料の吐出が可能な状態、即ち、目的飲料の販売待機状態とする。
【００３７】
当該販売待機状態において、ＢＩＢ３に関する操作部２７の操作により、ＢＩＢ３からの飲料の販売が指示されると、制御装置２１は、予め設定された販売時間の間、ポンプ５を駆動すると共に、前記希釈水電磁弁を開いてノズル１２より希釈水を吐出する。また、ピンチ部材１９のソレノイド４０に通電を行い、プランジャ４８を後退させ、当該プランジャ４８の前端に設けられた作動部４９を後退することにより、作動部４９側の導出チューブ４への押圧、即ち、第１のピンチ部５０及び第２の押圧部５１による押圧を開放する（図７）。
【００３８】
これにより、導出チューブ４内の飲料原料の流路が開放されることとなり、ＢＩＢ３からの飲料原料がチューブ４の端部４Ａから吐出される。そして、設定販売時間が経過したらポンプ５を停止し、希釈水電磁弁を閉じると共に、ピンチ部材１９のソレノイド４０への通電を非通電とし、導出チューブ４の流路を閉鎖する。これによって、上記販売時間にて決められた量の飲料原料が希釈水にて希釈され、所定濃度の中性飲料がカップ内に供給されることになる。
【００３９】
ここで、販売状態からピンチ部材１９により導出チューブ４の流路を閉鎖するに際し、導出チューブ４は、作動部４９の第１のピンチ部５０と受け部４２の第２のピンチ部４３により構成される開閉部により、外側から挟んで押し潰し、チューブ４内の流路を閉じる。また、これと連動して、作動部４９の第２の押圧部５１と受け部４２の第２の押圧部４４により構成される押圧部により、開閉部よりチューブ４の先端側において、チューブ４の流路が狭められる。
【００４０】
これにより、開閉部より先端側に位置するチューブ４は、変形され、流路が狭められた状態となる。そのため、開閉部の閉鎖により該開閉部より先端側に位置するチューブ４内に残留した飲料原料は、挟持開閉箇所とその先端側で押圧部により流路が狭められた箇所との間に残留するが、端部開口を狭めることで、表面張力により、より確実に保持することが可能となり、当該飲料原料の後だれを防止することが可能となる。
【００４１】
従って、意図していないときに、即ち、飲料供給源からの飲料原料の販売時以外に、当該チューブ４の先端から飲料原料が後だれし、カップのセットや除去を行う手指に、該飲料原料が滴下する不都合や、特に他の種類の飲料供給時にカップ内に混入する不都合を抑制することができるようになる。
【実施例２】
【００４２】
尚、ピンチ部材１９の開閉部に対する押圧部の形状は、上記実施例に限るものではなく、例えば、図８に示す如き形状であってもよいものとする。図８は他の実施例としてのピンチ部材５５の販売待機時の縦断側面図を示している。尚、図中上記実施例と同様の符号が附されたものは、同様の効果を奏するものである。
【００４３】
当該実施例におけるピンチ部材５５は、チューブ収容室４１の前面開口を開閉自在に閉塞する受け部５６の裏面に、第２のピンチ部５７と、第２の押圧部５８とが一体にチューブ収容室４１側に突出して形成されている。尚、この場合において、第２のピンチ部５７は、第２の押圧部５８に対し、図８から明らかなように、導出チューブ４の上流側に位置すると共に、よりチューブ収納室４１側に突出して構成されている。また、これら第２のピンチ部５７と、第２の押圧部５８とは、所定間隔を存して形成されている。
【００４４】
他方、プランジャ４８のチューブ収容室４１側の端部には、作動部５９が設けられている。この作動部５９の前面には、図８に示されるように、第１のピンチ部６０と、第１の押圧部６１とが一体にチューブ収容室４１側に突出して形成されている。尚、この場合において、第１のピンチ部６０は、第１の押圧部６１に対し、図８から明らかなように、導出チューブ４の上流側に位置すると共に、よりチューブ収納室４１側に突出して構成されている。また、上記と同様にこれら第１のピンチ部６０と、第１の押圧部６１とは、所定間隔を存して形成されている。
【００４５】
この第１のピンチ部６０は、受け部５６に形成される第２のピンチ部５７に対応して構成され、これら第１のピンチ部６０と第２のピンチ部５７にて導出チューブ４を外方から押圧し、チューブ４内の流路の開閉を行う開閉部を構成している。他方、第１の押圧部６１は、受け部５６に形成される第２の押圧部５８に対応して構成され、開閉部よりチューブ４の先端側において、これら第１の押圧部６１と第２の押圧部５８にて導出チューブ４を外方から押圧し、チューブ４内の流路を狭める押圧部を構成している。
【００４６】
尚、係る実施例においても、当該押圧部を構成する第１の押圧部６１は、開閉部を構成する第１のピンチ部６０と一体に構成されていると共に、第２の押圧部５８は、同じく開閉部を構成する第２のピンチ部５７と一体に構成されているため、開閉部によるチューブ４内の流路の閉鎖に連動して、当該チューブ４を外側から押圧することが可能となる。
【００４７】
当該実施例によっても、販売状態からピンチ部材１９により導出チューブ４の流路を閉鎖するに際し、導出チューブ４は、作動部５９の第１のピンチ部６０と受け部５６のピンチ部５７により構成される開閉部により、外側から挟んで押し潰し、チューブ４内の流路を閉じる。また、これと連動して、作動部５９の第２の押圧部６１と受け部５６の第２の押圧部５８により構成される押圧部により、開閉部よりチューブ４の先端側において、チューブ４の流路が狭められる。
【００４８】
これにより、開閉部より先端側に位置するチューブ４は、変形され、流路が狭められた状態となる。そのため、開閉部の閉鎖により該開閉部より先端側に位置するチューブ４内に残留した飲料原料は、挟持開閉箇所とその先端側で押圧部により流路が狭められた箇所との間に飲料原料が残留するが、端部開口を狭めることで、表面張力により、より確実に保持することが可能となり、当該飲料原料の後だれを防止することが可能となる。
【００４９】
従って、意図していないときに、即ち、飲料供給源からの飲料原料の販売時以外に、当該チューブ４の先端から飲料原料が後だれし、カップのセットや除去を行う手指に、該飲料原料が滴下する不都合や、特に他の種類の飲料供給時にカップ内に混入する不都合を抑制することができるようになる。
【００５０】
本発明は、導出チューブ４がＢＩＢ３と一体に構成されている場合において、特に、有効となる。即ち、導出チューブ４がＢＩＢ３内の飲料袋に一体に取り付けられている場合には、導出チューブ４をピンチ部材にセットした状態で、チューブ４の先端を切断する作業を行わなければならない。そのため、ピンチ部材より先端側に、ある程度の距離のチューブ４が必然的に残存されてしまうが、本発明では、押圧部により、チューブ４内の流路を狭めることで、該ピンチ部材より先端側に飲料原料が残留して後だれする不都合を防止することができるためである。
【００５１】
また、上記各実施例では、チューブポンプ５によりＢＩＢ３から飲料原料を導出する導出チューブ４を扱くことで、飲料原料の押し出しを行い、ピンチ部材１９により、導出チューブ４の開閉制御を行うことで、飲料原料の吐出制御を行っているが、本発明は、これに限られるものではなく、例えば、導出チューブ４から飲料原料を押し出す動作と、飲料原料の吐出・停止動作を行う作業を扉２８の裏面側に設けられる部材と、本体２側に設けられる部材とによって開閉部を構成したものであってもよい。係る場合には、当該開閉部が設けられる位置よりも下流側、即ち、先端側の導出チューブ４に押圧部を設ける。そして、先端側の導出チューブ４内の流路を押圧部により狭めることで、上記実施例と同様に、開閉部より先端側に残留した飲料原料の後だれを効果的に防止することができるようになる。
【図面の簡単な説明】
【００５２】
【図１】本発明を適用した飲料ディスペンサの正面図である。
【図２】図１の飲料ディスペンサの側面図である。
【図３】図１の飲料ディスペンサの扉を取り除いた状態の正面図である。
【図４】図１の飲料ディスペンサの内部構成を示す側面図である。
【図５】導出チューブ取付時のピンチ部材の縦断側面図である。
【図６】販売待機時のピンチ部材の縦断側面図である。
【図７】販売時のピンチ部材の縦断側面図である。
【図８】他の実施例としてのピンチ部材の縦断側面図である。
【図９】従来のピンチ部材の斜視図である。
【図１０】図９の受け部を開放した状態のピンチ部材の斜視図である。
【図１１】図１０におけるピンチ部材の縦断側面図である。
【図１２】図９の販売待機時におけるピンチ部材の縦断側面図である。
【図１３】図９の販売時におけるピンチ部材の縦断側面図である。
【符号の説明】
【００５３】
１    飲料ディスペンサ
２    本体
３    ＢＩＢ
４    導出チューブ
４Ａ  端部
５    ポンプ
１２  ノズル
１９、５５  ピンチ部材
２８  扉
３１  タンクユニット
３２  ＢＩＢユニット
３３  コンプレッサ
３４  コンデンサ
４０  ソレノイド
４１  チューブ収容室
４２、５６  受け部
４３、５７  第２のピンチ部
４４、５８  第２の押圧部
４６  チューブ導入口
４７  チューブ導出口
４８  プランジャ
４９、５９  作動部
５０、６０  第１のピンチ部
５１、６１  第１の押圧部
【図１】
2007062814.tif 000003
【図２】
2007062814.tif 000004
【図３】
2007062814.tif 000005
【図４】
2007062814.tif 000006
【図５】
2007062814.tif 000007
【図６】
2007062814.tif 000008
【図７】
2007062814.tif 000009
【図８】
2007062814.tif 000010
【図９】
2007062814.tif 000011
【図１０】
2007062814.tif 000012
【図１１】
2007062814.tif 000013
【図１２】
2007062814.tif 000014
【図１３】
2007062814.tif 000015